(57)【要約】コンタクトレンズの表面のひとつまたは複数の周辺部分を記述するためにスプライン関数または多項式を用いて得られた安定化ゾーンが設けられた安定化されたコンタクトレンズが提供される。コンタクトレンズの安定化ゾーンがコンタクトレンズと滑らかに一体化されていることにより、コンタクトレンズが眼に装着された状態で効果的に安定化され、コンタクトレンズの装着者に違和感を与えない。【特許請求の範囲】
【請求項１】
光学領、周辺部分、および上記周辺部分内のひとつまたは複数の薄いゾーンを有し、上記薄いゾーンがスプライン関数、高次の多項式、またはそれらの組み合わせの関数を用いて形成された、コンタクトレンズ。
【請求項２】
ソフトコンタクトレンズからなる、請求項１記載のコンタクトレンズ。
【請求項３】
薄いゾーンがコンタクトレンズの前面に配置されている、請求項１記載のコンタクトレンズ。
【請求項４】
薄いゾーンがコンタクトレンズの後面に配置されている、請求項１記載のコンタクトレンズ。
【請求項５】
薄いゾーンがコンタクトレンズの前面および後面に配置されている、請求項１記載のコンタクトレンズ。
【請求項６】
コンタクトレンズの後面が、装着者個々の角膜の表面形状の全てまたは一部に対応している、請求項１記載のコンタクトレンズ。
【請求項７】
コンタクトレンズの前面が、装着者個々の角膜の表面形状の全てまたは一部に対応している、請求項１記載のコンタクトレンズ。
【請求項８】
前面、後面、または上記前面および後面の両方が、眼の波面収差の測定値から算出される、請求項６記載のコンタクトレンズ。
【請求項９】
前面、後面、または上記前面および後面の両方が、眼の波面収差の測定値から算出される、請求項７記載のコンタクトレンズ。
【請求項１０】
薄いゾーンが、コンタクトレンズの光学領の最も外側のエッジから実質的に２００μｍ以上離れて配置されている、請求項１記載のコンタクトレンズ。
【請求項１１】
周辺部分が、非光学レンチクラール領、およびベベルを有し、
薄いゾーンが、上記ベベルの最も内側のエッジまで延在する、請求項１０記載のコンタクトレンズ。
【請求項１２】
薄いゾーンが、スプライン関数を用いて形成される、請求項１記載のコンタクトレンズ。
【請求項１３】
薄いゾーンが、高次の多項式を用いて形成される、請求項１記載のコンタクトレンズ。
【請求項１４】
スプライン関数、高次の多項式、またはそれらの組み合わせからなる関数を用いてひとつまたは複数の薄いゾーンを形成する過程を有する、コンタクトレンズの製造方法。
【請求項１５】
薄いゾーンを形成する過程が、スプライン関数を用いて実行される、請求項１４記載の方法。
【請求項１６】
薄いゾーンを形成する過程が、スプライン関数を用いて実行される、請求項１４記載の方法。
【請求項１７】
装着者個々の角膜の表面形状の全体または一部に対応するコンタクトレンズの後面を提供する過程をさらに有する、請求項１４記載の方法。
【請求項１８】
装着者個々の角膜の表面形状の全体または一部に対応するコンタクトレンズの前面を提供する過程をさらに有する、請求項１４記載の方法。
【請求項１９】
前面、後面、または上記前面および後面の両方を、装着者個々の眼の波面収差の測定値から算出する過程をさらに有する、請求項１７記載の方法。
【請求項２０】
前面、後面、または上記前面および後面の両方を、装着者個々の眼の波面収差の測定値から算出する過程をさらに有する、請求項１８記載の方法。
【発明の詳細な説明】
【技術分野】
【０００１】
本発明は、コンタクトレンズに関する。より詳しくは、本発明は、眼に対するコンタクトレンズの位置を安定化するためにひとつまたは複数の安定化ゾーンを組み込んだコンタクトレンズに関する。
【背景技術】
【０００２】
いくつかの視覚欠損は、円筒形のまたは多焦点の特性などの非球面の矯正特性をコンタクトレンズに付与することによって、矯正できることが知られている。さらに、技術の進歩により、角膜の表面形状の測定および波面収差の測定を用いて装着者ごとにカスタム化されたレンズを製造することができるようになった。これらのレンズを使用することは、眼に装着された状態で有効に機能するためにはレンズが眼に対して特定の位置で保持されなければならない点で課題を有することがある。しかし、瞬き、まぶたの動き、および涙の流動のためにレンズは眼に装着された状態で回転する。
【０００３】
眼に装着された状態での位置を保持するように設計されたレンズには、典型的に大まかな２つのタイプがある。ひとつのタイプでは、プリズム安定化法、またはレンズのある部分の厚みを増加することによって位置が保持されている。プリズム安定化法の例としては、レンズの前面の中心を後面の中心から変位させる、プリズム平衡、レンズの下側エッジの厚みを増加する、レンズを下まぶたで支持する、レンズの表面に凹部または凸部を設ける、レンズのエッジを面取りする、などがある。
【０００４】
二番目のタイプでは、レンズの位置を保持するためにまぶたの動きが用いられて、レンズが動的に安定化される。動的な安定化法の例としては、２つの対称的に配置された領域（典型的にはレンズの上部領域および底部領域）でレンズの外側面の厚みを減らし、水平方向の中心軸上の外側領域の厚みを変化させずに保つものがある。
【０００５】
レンズの位置を保持するための公知の方法が影響を受けるさまざまな不利益には、レンズを製造するためには特別の中心軸のずれた成形型を必要とする方法が用いられること、そのようなレンズの装着は違和感を伴うこと、公知の方法は十分に効果的ではないこと、がある。したがって、これらの課題を解決する眼に装着された状態でのレンズの位置を保持する方法が必要とされている。
【発明を実施するための最良の形態】
【０００６】
コンタクトレンズの表面のひとつまたは複数の周辺部分を形成するのにスプライン関数または多項式を用いることにより、コンタクトレンズが安定化されることが、本発明によって見出された。本発明は、眼に装着された状態のレンズの位置を安定化するのに有効な方法およびその方法を用いるレンズを提供する。本発明によって、レンズの周辺部分の安定化のための領域が、高い程度で制御されて設計できるようになる。設計されたレンズの安定化ゾーンはレンズの表面と滑らかに一体化されていて、これによって、眼に装着された状態で効果的に安定化されかつレンズの装着者に違和感を与えないレンズが提供される。さらに、特殊化された工具を必要とせずに、計算機数値制御（ＣＮＣ）コードを用いてレンズを製造することができる。
【０００７】
ある実施の形態では、本発明は、光学領、周辺部分、および周辺部分内のひとつまたは複数の薄いゾーンを有する（本質的に光学領、周辺部分、および周辺部分内のひとつまたは複数の薄いゾーンからなる、または光学領、周辺部分、および周辺部分内のひとつまたは複数の薄いゾーンからなる）コンタクトレンズを提供し、ひとつまたは複数の薄いゾーンは、スプライン関数、高次の多項式、またはそれらの組み合わせの関数を用いて形成されている。他の実施の形態では、本発明は、本発明のコンタクトレンズの製造方法を提供する。
【０００８】
「周辺部分」は、中心の光学領の外側のレンズの領域を意味する。典型的には、レンズの周辺部分は、限定を意図するものではないが、非光学レンチクラール領、レンズエッジ、ベベル、およびそれらの組み合わせを含んでよい。「高次の多項式」は、少なくとも４次の多項式を意味する。
【０００９】
本発明のレンズは、ハードコンタクトレンズでもソフトコンタクトレンズでもよい。好ましくは、本発明のレンズはソフトコンタクトレンズである。ひとつまたは複数の薄いゾーンは、前面に配置されていても、後面に配置されていても、前面および後面の両方に配置されていてもよい。「前面」は、レンズの物体側の表面を意味する。「後面」は、レンズの眼に置かれる側の表面を意味する。好ましくは、ひとつまたは複数の薄いゾーンは前面に設けられている。
【００１０】
さらに、本発明のレンズは、前面および後面のいずれか一方または両方に組み込まれたさまざまな矯正用の光学特性の任意のものを有していてよい。例えば、本発明のレンズは、球面、非球面、二重焦点、多重焦点、プリズム、または円筒形矯正、またはそれらの組み合わせの任意のものを有していてよい。さらに、前面および後面は、角膜の表面形状の測定値から算出された表面（または、表面形状から導かれた表面）、眼の波面収差から算出された表面、およびそれらの類似物たまは組み合わせである。
【００１１】
薄いゾーンの位置、厚み、および対称性には、さまざまな組み合わせがある。図１を参照すると、レンズ１０は、光学領１１、および、非光学レンチクラール領である周辺部分１２を備えて図示されている。薄いゾーン１３が、レンズ１０の軸９０度を中心として配置されている。図２には、光学領２１、非光学レンチクラール領２２、薄いゾーン２３、および薄いゾーン２４を備えたレンズ２０が示されていて、薄いゾーン２３および薄いゾーン２４は非対称的である。図３には、薄いゾーン３１が非光学レンチクラール領３２内に配置されたレンズ３０が示されている。
【００１２】
薄いゾーンは、光学領の外側のレンズ表面の任意の位置に配置されてよいが、好ましくは、光学領の最も外側のエッジから実質的に２００μｍ以上離れて非光学レンチクラール領内に配置される。もっとも好ましくは、レンズはベベルを含み、薄いゾーンは、光学領の最も外側のエッジから実質的に２００μｍ以上離れて配置され、ベベルの最も内側のエッジまで延在している。「ベベルの最も内側のエッジ」は、光学領に最も近いベベルのエッジを意味する。複数の薄いゾーンが設けられる場合、薄いゾーンの各々とレンズの幾何学中心との間の半径方向の距離は、ほぼ等しくてもよく、異なる距離でもよい。
【００１３】
好ましい実施の形態では、少なくともひとつのレンズ表面が、より好ましくは後面が、レンズの装着者個々の角膜の表面形状の全てまたは一部に対応するように装着者個々の角膜の表面形状のデータを用いて設計される。「対応する」は、レンズ表面が手袋の中の手のように角膜に密着するようにレンズの表面が設計されていることを意味する。この実施の形態は、後面が眼に装着された状態でのレンズの回転に対する安定性を助けるという利点を有する。より好ましい実施の形態では、レンズの後面が角膜の表面形状のデータを用いて設計されていて、前面および後面のいずれか一方または両方が眼の波面収差をも矯正する。
【００１４】
本発明のレンズの薄いゾーンが形成されるということは、薄いゾーンの曲率がスプライン関数、高次の多項式、またはそれらの組み合わせの関数を用いて記述されることを意味する。薄いゾーンの外側のレンズの最も厚い部分と薄いゾーン内の最も薄いポイントとの間の厚みの差は、実質的に５０μｍから３００μｍまでの範囲内にあり、より好ましくは実質的に１００μｍから２００μｍまでの範囲内にある。
【００１５】
本発明のコンタクトレンズは、コンタクトレンズを製造するための任意の通常の方法によって製造されてよい。例えば、レンズの設計が、金属内に切り出されて、その金属がレンズの表面に対するプラスチック製の成形インサートを製造するのに用いられる。次に、適切な液体樹脂が成形インサートの間に配置されて、成形インサートが圧縮されて、樹脂が硬化してレンズが形成される。代わりに、本発明のレンズは、旋盤でレンズを切削することによって製造されてもよい。本発明の利点は本発明のレンズがＣＮＣ旋盤および成形型のいずれを用いても製造できることであることが当業者には理解される。
【００１６】
本発明のコンタクトレンズを形成するのに有益な材料は、ハードコンタクトレンズおよびソフトコンタクトレンズの製造に用いられる任意の公知の材料であってよい。好ましくは、本発明のコンタクトレンズを形成するために選択される材料は、ソフトコンタクトレンズを形成するのに適した材料である。本発明の方法を用いてそのようなコンタクトレンズを形成するのに適した材料として、限定を意図するものではないが、シリコーンエラストマー、限定を意図するものではないが米国特許第５，３７１，１４７号、同第５，３１４，９６０号、および同第５，０５７，５７８号（これらの米国特許は、参照文献として引用される。）に記載されたものを含めたシリコーン含有マクロマー（macromer）、ヒドロゲル、シリコーン含有ヒドロゲル、それらの類似物、およびそれらの組み合わせがある。より好ましくは、レンズの表面は、シロキサンからなるか、限定を意図するものではないが、ポリジメチル・シロキサン・マクロマー、メタクリロキシプロピル・ポリアルキル・シロキサン、およびそれらの混合物、シリコーン・ヒドロゲル、または、エタフィルコンＡ（etafilcon A）のようなヒドロゲルを含めたシロキサンの官能価を含む。
【図面の簡単な説明】
【００１７】
【図１】本発明のレンズのある実施の形態の前面の拡大平面図である。
【図２】本発明のレンズの第２の実施の形態の前面の拡大平面図である。
【図３】本発明のレンズの第３の実施の形態の前面の拡大平面図である。
【符号の説明】
【００１８】
１０  レンズ
１１  光学領
１２  周辺部分
１３  薄いゾーン
２０  レンズ
２１  光学領
２２  非光学レンチクラール領
２３  薄いゾーン
２４  薄いゾーン
３０  レンズ
３１  薄いゾーン
３２  非光学レンチクラール領
３３  光学領
【国際公開パンフレット】
2004523778.tif 000002
2004523778.tif 000003
2004523778.tif 000004
2004523778.tif 000005
2004523778.tif 000006
2004523778.tif 000007
2004523778.tif 000008
2004523778.tif 000009
2004523778.tif 000010
【国際公開パンフレット（コレクトバージョン）】
2004523778.tif 000011
【国際調査報告】
2004523778.tif 000012
2004523778.tif 000013
2004523778.tif 000014